(57)【要約】【課題】長手方向に貫通するメインルーメンを有するカテーテルシャフトの中途位置にワイヤールーメンが形成されたカテーテルにおいて、ワイヤールーメンにワイヤーを導入する作業を容易に実施可能とすること。【解決手段】カテーテル１は、カテーテルシャフト３と、コネクタ５を備えている。カテーテルシャフト３には、カテーテルシャフト３を長手方向に貫通するメインルーメン１１と、カテーテルシャフト３をメインルーメン１１側である内周側から外周側へと貫通するワイヤールーメン１３が形成されている。ワイヤールーメン１３には、線材１５が挿入されている。線材１５の一端にワイヤーデバイスが備えるワイヤーを連結して、線材１５をワイヤールーメン１３からカテーテルシャフト３の外周側へと引き抜くと、ワイヤーをワイヤールーメン内へと誘導することができる。【選択図】図１
2013135757.tif 000002
【特許請求の範囲】
【請求項１】
長手方向に貫通するメインルーメンを有するカテーテルシャフトと、
前記カテーテルシャフトを前記メインルーメン側である内周側から外周側へと貫通するワイヤールーメンと、
前記メインルーメン遠位端側の開口部から前記メインルーメン内へと挿入されるワイヤーデバイスを、前記メインルーメンから分岐する前記ワイヤールーメンへと導入する際に、前記ワイヤーデバイスを前記ワイヤールーメン内へと誘導するワイヤーデバイス誘導手段と
を備えたことを特徴とするカテーテル。
【請求項２】
前記ワイヤーデバイス誘導手段は、前記ワイヤールーメンを貫通して、その一端が前記メインルーメン経由で前記メインルーメン遠位端側の開口部から前記メインルーメンの外部へと引き出される一方、他端が前記ワイヤールーメン外周側の開口部から前記ワイヤールーメンの外部へと引き出された線材を備え、前記線材の一端に前記ワイヤーデバイスを連結し、その状態で前記線材を前記ワイヤールーメンから前記カテーテルシャフトの外周側へと引き抜くことにより、前記線材に連結された前記ワイヤーデバイスを前記ワイヤールーメンへと導入可能に構成されている
ことを特徴とする請求項１に記載のカテーテル。
【請求項３】
前記線材は、少なくとも前記一端が筒状に形成されており、当該筒状部分に前記ワイヤーデバイスを挿し込むことにより、当該ワイヤーデバイスを前記一端に連結可能な構造とされている
ことを特徴とする請求項２に記載のカテーテル。
【請求項４】
前記ワイヤーデバイス誘導手段は、前記ワイヤールーメンに連続する第一の位置から、当該第一の位置よりも前記開口部に近い第二の位置にわたって形成された溝を備え、
前記溝は、前記第二の位置において前記ワイヤールーメンよりも幅が広く、且つ、前記第二の位置から前記第一の位置に向かって徐々に幅が狭まる形状とされている
ことを特徴とする請求項１〜請求項３のいずれか一項に記載のカテーテル。
【請求項５】
前記メインルーメンを介して血管内に存在する異物を吸引可能な吸引カテーテルである
ことを特徴とする請求項１〜請求項４のいずれか一項に記載のカテーテル。
【請求項６】
前記ワイヤーデバイスは、ワイヤーと、当該ワイヤーに取り付けられたフィルターとを備え、前記フィルターを血管内に留置した際に、当該留置位置で血管内に存在する異物を捕捉するデバイスであり、
前記カテーテルシャフトは、前記ワイヤールーメンへと導入された前記ワイヤーデバイスの前記ワイヤーを前記カテーテルシャフトの外周側へと引っ張った際に、前記メインルーメンの遠位端側にある開口部から前記メインルーメン内へ前記フィルターを引き込み可能に構成されている
ことを特徴とする請求項１〜請求項５のいずれか一項に記載のカテーテル。
【発明の詳細な説明】
【技術分野】
【０００１】
本発明は、ワイヤーデバイスと併用されるカテーテルに関する。
【背景技術】
【０００２】
従来、ワイヤーの遠位端付近にフィルターが取り付けられた構造とされたワイヤーデバイスを血管内へ導入し、血管壁等から遊離する異物（以下、遊離物ともいう。）をフィルターで捕捉、除去する技術が知られている（例えば、特許文献１及び特許文献２参照。）。
【０００３】
例えば、特許文献１の図５Ａには、支持ワイヤ（２５）及びフィルタ（５０）を備えるワイヤーデバイスが開示されている。また、特許文献１の図５Ａにおいて、フィルタ（５０）は、長尺管状部材（１０）が備えるルーメン（１１）内に収容されている。この他、特許文献１の図５Ｂ及び図５Ｃにも同種の構造が開示され、特許文献２の図５にも同種の構造が開示されている。
【先行技術文献】
【特許文献】
【０００４】
【特許文献１】特許第４６４７８８４号公報
【特許文献２】特開２００９−９５６８２号公報
【発明の概要】
【発明が解決しようとする課題】
【０００５】
ところで、上記特許文献１，２に記載の技術においては、長尺管状部材（１０）の両端間にある中途位置に第三開口部（１７）が設けられていて、この第三開口部（１７）に支持ワイヤ（２５）が通されている。
【０００６】
このような中途位置にある第三開口部（１７）へ支持ワイヤ（２５）を通す方法としては、支持ワイヤ（２５）の基端側（近位端側）を第一開口部（１５）へ挿入するとともに、ルーメン（１１）経由で第三開口部（１７）からルーメン（１１）の外部へと導出する方法（以下、第一の方法と称する。）か、フィルタ（５０）が設けられた支持ワイヤ（２５）の先端側（遠位端側）を第三開口部（１７）へ挿入する方法（以下、第二の方法と称する。）を考え得る。
【０００７】
しかし、上述の第一の方法で支持ワイヤ（２５）を第三開口部（１７）へ通すには、ルーメン（１１）内の奥まった位置で、支持ワイヤー（２５）の近位端を第三開口部（１７）へ挿し込む作業が必要となるため、そのような作業は、第三開口部（１７）の内径が細径化されると、きわめてやりにくくなる、という問題がある。また、上記特許文献１，２に記載の技術においては、長尺管状部材（１０）の第一開口部（１５）と第三開口部（１７）との間にある中途位置に第二開口部（１６）が設けられていて、この長尺管状部材（１０）が予め血管内に配置されたガイドワイヤ（２０）に沿って血管内に挿入される時、ガイドワイヤ（２０）の基端部は長尺管状部材（１０）の第一開口部（１５）、ルーメン（１１）、第二開口部（１６）を通過する。このとき、ガイドワイヤ（２０）の基端部を第二開口部（１６）へ挿し込む作業が必要となるため、前述の問題と同様に、このような作業はきわめてやりにくい、という問題がある。
【０００８】
一方、上述の第二の方法で支持ワイヤ（２５）を第三開口部（１７）へ通す場合には、フィルタ（５０）を第三開口部（１７）に通さなければならないので、これは第三開口部（１７）の内径をある程度大きくせざるを得ず、流体又は血液の吸引に適応しているルーメンを備える場合には十分な吸引性能を発揮することができない、という問題があった。
【０００９】
本発明は、上記のような問題を解決するためになされたものであり、その目的は、長手方向に貫通するメインルーメンを有するカテーテルシャフトの中途位置に、当該カテーテルシャフトをメインルーメン側である内周側から外周側へと貫通するワイヤールーメンが形成されてなるカテーテルにおいて、ワイヤールーメンにワイヤーを導入する作業を容易に実施可能とすることにある。
【課題を解決するための手段】
【００１０】
以下、本発明において採用した構成について説明する。
本発明のカテーテルは、長手方向に貫通するメインルーメンを有するカテーテルシャフトと、前記カテーテルシャフトを前記メインルーメン側である内周側から外周側へと貫通するワイヤールーメンと、前記メインルーメン遠位端側の開口部から前記メインルーメン内へと挿入されるワイヤーデバイスを、前記メインルーメンから分岐する前記ワイヤールーメンへと導入する際に、前記ワイヤーデバイスを前記ワイヤールーメン内へと誘導するワイヤーデバイス誘導手段とを備えたことを特徴とする。
【００１１】
このように構成されたカテーテルによれば、メインルーメン遠位端側の開口部からメインルーメン内へと挿入されるワイヤーデバイスを、メインルーメンから分岐するワイヤールーメンへと導入する際には、ワイヤーデバイス誘導手段を利用して、ワイヤーデバイスをワイヤールーメン内へと誘導することができる。
【００１２】
したがって、ワイヤーデバイス誘導手段を備えていない従来品に比べ、ワイヤーデバイスが備えるワイヤーをワイヤールーメンへ導入する作業を容易に実施できるようになる。また、ワイヤーデバイス誘導手段を備えていない従来品の場合、ワイヤールーメンの内径をある程度大きめにせざるを得なかったが、ワイヤーデバイス誘導手段を備える本発明の場合は、ワイヤールーメンの内径を従来品以上に細径化することができる。
【００１３】
ところで、本発明のカテーテルにおいて、前記ワイヤーデバイス誘導手段は、前記ワイヤールーメンを貫通して、その一端が前記メインルーメン経由で前記メインルーメン遠位端側の開口部から前記メインルーメンの外部へと引き出される一方、他端が前記ワイヤールーメン外周側の開口部から前記ワイヤールーメンの外部へと引き出された線材を備え、前記線材の一端に前記ワイヤーデバイスを連結し、その状態で前記線材を前記ワイヤールーメンから前記カテーテルシャフトの外周側へと引き抜くことにより、前記線材に連結された前記ワイヤーデバイスを前記ワイヤールーメンへと導入可能に構成されていると好ましい。
【００１４】
このように構成されたカテーテルによれば、線材の一端にワイヤーデバイスを連結し、その状態で線材をワイヤールーメンからカテーテルシャフトの外周側へと引き抜けば、線材に連結されたワイヤーデバイスがワイヤールーメンへと導入される。
【００１５】
したがって、メインルーメン内において手探りでワイヤーデバイスをワイヤールーメンに挿し込むといった面倒且つ困難な作業を行わなくても、ワイヤーデバイスと線材をメインルーメンの外部で連結して、その線材を引き抜くといったごく簡単な作業により、ワイヤーデバイスをワイヤールーメンに通すことができる。
【００１６】
また、このような作業であれば、ワイヤールーメンの内径がワイヤー径と同程度でも、問題なくワイヤーデバイスをワイヤールーメンに通すことができるので、ワイヤールーメンの細径化を図ることができる。
【００１７】
また、本発明のカテーテルにおいて、前記線材は、少なくとも前記一端が筒状に形成されており、当該筒状部分に前記ワイヤーデバイスを挿し込むことにより、当該ワイヤーデバイスを前記一端に連結可能な構造とされていると好ましい。また、当該筒状部分の内腔はストレート形状であっても傾斜を有する形状であっても良い。
【００１８】
このように構成されたカテーテルによれば、筒状部分にワイヤーデバイスを挿し込む、といった簡単な作業で、ワイヤーデバイスを線材の一端に連結することができる。
なお、このような線材としては、細長いパイプ状の線材などを利用すればよく、細くても十分な強度を確保しやすい金属製パイプ（例えば、ステンレスパイプ）などが好適である。あるいは、強度や材質に問題がなければ樹脂製のパイプなどであってもよい。また、線材が全長にわたってパイプ状のものであってもよいが、少なくとも一端が筒状になっていれば、全長にわたって筒状になっているか否かは任意である。
【００１９】
また、本発明のカテーテルにおいて、前記ワイヤーデバイス誘導手段は、前記ワイヤールーメンに連続する第一の位置から、当該第一の位置よりも前記開口部に近い第二の位置にわたって形成された溝を備え、前記溝は、前記第二の位置において前記ワイヤールーメンよりも幅が広く、且つ、前記第二の位置から前記第一の位置に向かって徐々に幅が狭まる形状とされていると好ましい。
【００２０】
このように構成されたカテーテルによれば、溝に沿ってワイヤーデバイスを押し込めば、ワイヤールーメンに向かって徐々に幅が狭まる溝に案内されて、ワイヤーデバイスがワイヤールーメンへと導入される。
【００２１】
したがって、メインルーメン内において手探りでワイヤーデバイスをワイヤールーメンに挿し込むといった面倒且つ困難な作業を行わなくても、ワイヤーデバイスを溝に沿わせるようにして押し込むといったごく簡単な作業により、ワイヤーデバイスをワイヤールーメンに通すことができる。
【００２２】
また、このような作業であれば、ワイヤールーメンの内径がワイヤー径と同程度でも、問題なくワイヤーデバイスをワイヤールーメンに通すことができる。なお、このような溝は、上述の線材と併用することもでき、この場合、上述の線材を容易にワイヤールーメンへと導入できる。
【００２３】
また、本発明のカテーテルにおいて、前記メインルーメンを介して血管内に存在する異物を吸引可能な吸引カテーテルであると好ましい。
このように構成されたカテーテルによれば、上述の通り、ワイヤールーメンの細径化を図ることができ、これにより、ワイヤールーメンを介して吸引される血液の量を低減できるので、その分だけカテーテル先端における血液の吸引量を増大させることができ、吸引性能が良好な吸引カテーテルとすることができる。
【００２４】
また、本発明のカテーテルにおいて、前記ワイヤーデバイスは、ワイヤーと、当該ワイヤーに取り付けられたフィルターとを備え、前記フィルターを血管内に留置した際に、当該留置位置で血管内に存在する異物を捕捉するデバイスであり、前記カテーテルシャフトは、前記ワイヤールーメンへと導入された前記ワイヤーデバイスの前記ワイヤーを前記カテーテルシャフトの外周側へと引っ張った際に、前記メインルーメンの遠位端側にある開口部から前記メインルーメン内へ前記フィルターを引き込み可能に構成されていると好ましい。
【００２５】
このように構成されたカテーテルによれば、ワイヤーデバイスが備えるフィルターをカテーテル内に引き込むことができるので、ワイヤーデバイスを体外へ抜去する際に、フィルターが、自身の周囲にあるもの（例えば、血管壁やステントなどの留置物）と接触するのを防止できる。
【図面の簡単な説明】
【００２６】
【図１】（ａ）は本発明の第一実施形態として例示するカテーテルの正面図、（ｂ）は図１（ａ）に示すＰ部の拡大図、（ｃ）は図１（ｂ）にＡ−Ａ線で示す切断面の端面図、（ｄ）は図１（ｂ）にＡ−Ａ線で示す切断面の別の例を示す端面図。
【図２】（ａ）はワイヤーデバイスと線材を連結する前の状態を示す説明図、（ｂ）はワイヤーデバイスと線材を連結した後の状態を示す説明図、（ｃ）は線材を引っ張ってワイヤーデバイスをワイヤールーメンに導入した状態を示す説明図、（ｄ）はワイヤーデバイスと線材の連結を解除した状態を示す説明図、（ｅ）はワイヤーデバイスを引っ張ってフィルターをメインルーメン内へ引き込んだ状態を示す説明図。
【図３】（ａ）は本発明の第二実施形態として例示するカテーテルの正面図、（ｂ）は図３（ａ）に示すＱ部の拡大図、（ｃ）は図３（ｂ）にＢ−Ｂ線で示す切断面の端面図、（ｄ）は図３（ｂ）にＣ−Ｃ線で示す切断面の端面図、（ｅ）は図３（ｂ）にＤ−Ｄ線で示す切断箇所での断面図。
【図４】（ａ）はワイヤーデバイスをワイヤールーメンに挿し込むときの様子を図３（ｂ）と同方向から見た説明図、（ｂ）はワイヤーデバイスをワイヤールーメンに挿し込むときの様子を図３（ｅ）と同方向から見た説明図、（ｃ）は図３（ｂ）にＢ−Ｂ線で示す切断面の別の例を示す端面図、（ｄ）は図３（ｂ）にＢ−Ｂ線で示す切断面のさらに別の例を示す端面図。
【発明を実施するための形態】
【００２７】
次に、本発明の実施形態について、具体的な例を挙げて説明する。
［第一実施形態］
まず、第一実施形態について説明する。
【００２８】
図１（ａ）〜同図（ｄ）に示すカテーテル１は、血管形成術、アテローム切除術、ステント留置術などを実施する際に、経皮的に血管内に挿入されて、血管壁等からの遊離物を吸引する吸引カテーテルである。
【００２９】
このカテーテル１は、近位端側が体外に残される状態で、遠位端側が経皮的に血管内に挿入されるカテーテルシャフト３と、カテーテルシャフト３の近位端側に設けられたコネクタ５を備えている。
【００３０】
カテーテルシャフト３は、合成樹脂製のチューブ材で、例えば、ポリアミド、ポリエチレン、ポリイミド、ポリエーテルエーテルケトン、ポリエチレンテレフタレート、ポリウレタン、又はポリプロピレンなどによって形成されている。
【００３１】
このカテーテルシャフト３には、カテーテルシャフト３を長手方向に貫通するメインルーメン１１と、カテーテルシャフト３をメインルーメン１１側である内周側から外周側へと貫通するワイヤールーメン１３が形成されている。
【００３２】
カテーテルシャフト３において、メインルーメン１１及びワイヤールーメン１３が並列に形成されている部分の断面形状は、図１（ｃ）に示すように、メインルーメン１１及びワイヤールーメン１３の内周が略円形で、外周形状が異形となっているが、図１（ｄ）に示すように、外周形状が円形で、その外周形状に合わせてメインルーメン１１の内周が異形になっていてもよい。
【００３３】
コネクタ５は、シリンジ等の吸引器具や吸引装置を接続可能な部分で、このコネクタ５に接続された吸引器具等で吸引を行うことにより、メインルーメン１１内に負圧をかけることができる。
【００３４】
また、このカテーテル１において、ワイヤールーメン１３には、線材１５（本発明でいうワイヤーデバイス誘導手段に相当。）が挿入されている。本実施形態において、線材１５は、ステンレスパイプで構成されている。
【００３５】
この線材１５は、図２（ａ）〜同図（ｅ）に示すように、ワイヤールーメン１３にワイヤーデバイス２０を導入する際に使用されるものである。より詳しくは、ワイヤーデバイス２０は、ワイヤー２１と、ワイヤー２１の遠位端側に取り付けられたフィルター２３とを備える器具で、このワイヤーデバイス２０を経皮的に血管内へ挿入してフィルター２３を血管内の所定位置に留置することにより、その留置位置へ流れてくる異物をフィルター２３で捕捉することができる。
【００３６】
このワイヤーデバイス２０が備えるワイヤー２１を、ワイヤールーメン１３に導入するには、次のような作業を行う。まず、図２（ａ）及び同図（ｂ）に示すように、ワイヤー２１の近位端を線材１５の一端に連結する。本実施形態において、線材１５は、ステンレスパイプであり、線材１５の先端部分は筒状になっているので、その筒状部分にワイヤー２１の近位端を挿し込むだけで、両者を連結することができる。ちなみに、図２（ｂ）には、線材１５の先端部分が円筒状になっているものを例示してあるが、筒状部分にワイヤー２１の近位端を挿し込むことができれば、円筒状とするか否かは任意である。例えば、筒状部分の内周面に先端側ほど内径が大きくなるテーパを付与してあってもよく、このようなテーパを付与することで、ワイヤー２１を線材１５に挿し込みやすくすることができる。
【００３７】
このような連結作業を終えたら、図２（ｃ）に示すように、線材１５をワイヤールーメン１３からカテーテルシャフト３の外周側へと引き抜く。これにより、線材１５に連結されたワイヤーデバイス２０（ワイヤー２１）は、ワイヤールーメン１３へと導入される。後は、図２（ｄ）に示すように、線材１５とワイヤー２１の連結を解除すれば、ワイヤーデバイス２０の導入は完了する。
【００３８】
なお、カテーテル１及びワイヤーデバイス２０を血管内へ導入して実際に使用する際には、フィルター２３がカテーテル１の遠位端よりもさらに遠位端側に位置する状態で使用される。
【００３９】
一方、カテーテル１及びワイヤーデバイス２０を血管外へと抜去する際には、図２（ｅ）に示すように、フィルター２３がカテーテル１の遠位端側の開口部１１ａからカテーテル１の内部（メインルーメン１１内）へと引き込まれる。この状態でカテーテル１及びワイヤーデバイス２０がまとめて体外に抜去される。
【００４０】
このようにすれば、ワイヤーデバイス２０を単独で抜去する場合に比べ、ワイヤーデバイス２０のフィルター２３が、その周囲にあるものに引っ掛かる可能性を低減でき、また、フィルター２３で捕捉済みの異物を流出させてしまう可能性も低減することができる。
【００４１】
以上説明したとおり、このカテーテル１によれば、メインルーメン１１の遠位端側の開口部１１ａからメインルーメン１１内へと挿入されるワイヤーデバイス２０を、メインルーメン１１から分岐するワイヤールーメン１３へと導入する際には、線材１５を利用して、ワイヤーデバイス２０をワイヤールーメン１３内へと誘導することができる。
【００４２】
したがって、このような線材１５を備えていない従来品に比べ、ワイヤーデバイス２０が備えるワイヤー２１をワイヤールーメン１３へ導入する作業を容易に実施できるようになる。
【００４３】
また、線材１５を備えていない従来品の場合、ワイヤールーメン１３の内径をある程度大きめにせざるを得なかったが、線材１５を備えるカテーテル１の場合は、ワイヤールーメン１３の内径を従来品以上に細径化することができる。
【００４４】
したがって、カテーテル１で異物の吸引を行うに当たっては、ワイヤールーメン１３を介して血管内から吸引される血液を従来品よりも減少させることができるので、その分、メインルーメン１１の遠位端側の開口部１１ａから吸引される血液が増大し、吸引カテーテルとしての吸引性能が向上する。
【００４５】
［第二実施形態］
次に、第二実施形態について説明する。
図３（ａ）〜同図（ｅ）に示すカテーテル３１は、第一実施形態同様の用途で使用される吸引カテーテルである。
【００４６】
このカテーテル３１は、カテーテルシャフト３３と、コネクタ３５を備えている。これらカテーテルシャフト３３及びコネクタ３５それぞれの材質や機能は、第一実施形態と同等なものである。
【００４７】
また、カテーテルシャフト３３には、カテーテルシャフト３３を長手方向に貫通するメインルーメン４１と、カテーテルシャフト３３をメインルーメン４１側である内周側から外周側へと貫通するワイヤールーメン４３が形成されている。
【００４８】
また、メインルーメン４１の内周面上には、溝４５（本発明でいうワイヤーデバイス誘導手段に相当。）が形成されている。この溝４５は、ワイヤールーメン４３に連続する第一の位置４５ａから、当該第一の位置４５ａよりもメインルーメン４１の遠位端側の開口部４１ａに近い第二の位置４５ｂにわたって形成されている。また、溝４５は、第二の位置４５ｂにおいてワイヤールーメン４３よりも幅が広く、且つ、第二の位置４５ｂから第一の位置４５ａに向かって徐々に幅が狭まる形状とされている（図２（ｅ）参照。）。
【００４９】
このように構成されたカテーテル３１においては、上述のような溝４５が設けてあるので、図１で例示したようなワイヤーデバイス２０が備えるワイヤー２１を、ワイヤールーメン１３に容易に導入することができる。
【００５０】
具体的には、図４（ａ）及び同図（ｂ）に示すように、ワイヤー２１の先端を溝４５の最深部に当接させ、その当接を維持したままワイヤー２１をメインルーメン４１の近位端側へと押し込む。すると、ワイヤー２１の先端は、徐々に幅が狭くなる溝４５に案内されて、第二の位置４５ｂ側から第一の位置４５ａ側へと押し進められ、最終的にワイヤー２１の先端がワイヤールーメン４３の入り口に到達する。
【００５１】
したがって、後は、ワイヤー２１をさらに押し込むだけで、ワイヤールーメン４３内へと導入することができ、以降は、ワイヤー２１がワイヤールーメン４３を貫通したところで、ワイヤー２１をカテーテル３１の外側へ引き出せばよい。なお、このようにしてカテーテル３１にワイヤーデバイス２０を装着した後は、第一実施形態と同様の手順ないし用途で、カテーテル３１及びワイヤーデバイス２０それぞれを使用することができる。
【００５２】
なお、溝４５の断面形状は、ワイヤー２１の先端を適切に誘導できる形状であれば、その具体的な形状は任意であり、例えば、図３（ｃ）に例示したような断面形状の他、図４（ｃ）に例示するような断面形状でもよいし、図４（ｄ）に例示するような断面形状でもよい。
【００５３】
以上説明したとおり、このカテーテル３１でも、メインルーメン４１の遠位端側の開口部４１ａからメインルーメン４１内へと挿入されるワイヤーデバイス２０を、メインルーメン４１から分岐するワイヤールーメン４３へと導入する際には、溝４５を利用して、ワイヤーデバイス２０をワイヤールーメン４３内へと誘導することができる。
【００５４】
したがって、このような溝４５を備えていない従来品に比べ、ワイヤーデバイス２０が備えるワイヤー２１をワイヤールーメン４３へ導入する作業を容易に実施できるようになる。
【００５５】
また、溝４５を備えていない従来品の場合、ワイヤールーメン１３の内径をある程度大きめにせざるを得なかったが、溝４５を備えるカテーテル３１の場合は、ワイヤールーメン４３の内径を従来品以上に細径化することができる。
【００５６】
したがって、カテーテル３１で異物の吸引を行うに当たっては、ワイヤールーメン４３を介して血管内から吸引される血液を従来品よりも減少させることができるので、その分、メインルーメン４１の遠位端側の開口部４１ａから吸引される血液が増大し、吸引カテーテルとしての吸引性能が向上する。
【００５７】
［変形例等］
以上、本発明の実施形態について説明したが、本発明は上記の具体的な一実施形態に限定されず、この他にも種々の形態で実施することができる。
【００５８】
例えば、上記実施形態では、カテーテル１，３１が吸引カテーテルとして利用される事例について説明したが、上記カテーテル１，３１は、吸引カテーテル以外の用途で用いることもできる。具体的な例を挙げれば、例えば、メインルーメン１１，４１を介して薬液を供給する薬剤投与カテーテルとしても利用できる。
【００５９】
このような場合でも、ワイヤールーメン１３，４３を介して血管内へ放出される薬液を従来品よりも減少させることができるので、その分、メインルーメン１１，４１遠位端側の開口部１１ａ，４１ａから放出される薬液が増大し、薬剤投与カテーテルとしての薬剤投与性能が向上することになる。
【００６０】
また、上記実施形態では、ワイヤーデバイス誘導手段の具体例として、線材１５と溝４５をそれぞれ個別に示したが、これらは双方を備えていてもよい。この場合は、線材がワイヤールーメンから引き抜かれても、溝を利用して容易に線材をワイヤールーメンへ導入できるので、万一、線材をワイヤールーメンから引き出してしまっても、容易に対処することができる。また、万一、線材をワイヤールーメンから引き出してしまった際には、溝を利用してワイヤーデバイスを直接ワイヤールーメンへ導入することもできる。
【００６１】
また、上記実施形態では、特定形状のフィルター２３を備えるワイヤーデバイス２０を例示したが、フィルター２３相当物の具体的形状は任意に変更してもよい。例えば、フィルター２３相当物として、先端付近に螺旋状（コイル状）構造部分を有するワイヤーデバイスを利用してもよく、この場合、螺旋状（コイル状）構造部分で血栓等の異物を捕捉することができる。あるいは、フィルター２３相当物として、先端付近にバルーンを有するワイヤーデバイスを利用してもよく、この場合、血管内への留置後にバルーンを拡張させることにより、そのバルーン部分で血栓等の異物を捕捉することができる。
【００６２】
あるいは、フィルター２３相当物として、先端付近にバスケット状（籠状）構造部分を有するワイヤーデバイスを利用してもよく、この場合、バスケット状（籠状）構造部分で血栓等の異物を捕捉することができる。さらに、フィルター２３相当物として、先端付近に自己拡張型のステント状構造部を有するワイヤーデバイスを利用してもよく、この場合、除去対象となる血栓等のある箇所にステント状構造部を留置した後、ステント部の周囲を拘束していたシースを後退させることで、ステント状構造部を自己拡張させて、そのステント状構造部で血栓等の異物を捕捉することができる。
【００６３】
これらいずれの事例においても、各フィルター２３相当物で異物を捕捉する際には、上述の実施形態で例示したカテーテル１を利用して、血管壁等からの遊離物を吸引することができ、また、各ワイヤーデバイスのフィルター２３相当物をカテーテル１の遠位端側の開口部１１ａからカテーテル１の内部（メインルーメン１１内）へと引き込んで、カテーテル１及びワイヤーデバイスをまとめて体外に抜去することができる。
【符号の説明】
【００６４】
１，３１・・・カテーテル、３，３３・・・カテーテルシャフト、５，３５・・・コネクタ、１１，４１・・・メインルーメン、１１ａ，４１ａ・・・開口部、１３，４３・・・ワイヤールーメン、１５・・・線材、２０・・・ワイヤーデバイス、２１・・・ワイヤー、２３・・・フィルター、４５・・・溝、４５ａ・・・第一の位置、４５ｂ・・・第二の位置。
【図３】
2013135757.tif 000003
【図４】
2013135757.tif 000004
【図１】
2013135757.tif 000005
【図２】
2013135757.tif 000006